(57)【特許請求の範囲】
【請求項１】
入賞口やアウト口が配置された遊技領域を遊技盤の盤面上に有し、受け皿に貯留された遊技球を発射装置に導き、前記発射装置の作動により発射された遊技球が上方に延びる発射通路を通って遊技盤の盤面に形成された案内通路に進入し、前記案内通路を通過した遊技球が前記遊技領域に打ち出される弾球遊技機において、
前記案内通路に打ち出された遊技球が前記遊技領域に到達せずに落下してきたときにこれをファール球として受け入れるファール口と、
前記受け皿に形成されるとともに前記発射通路を基準として前記ファール口とは逆側に配置され、前記入賞口に遊技球が入賞したときに前記受け皿に賞球を払い出す前記払い出し口と、
前記発射通路を基準として前記ファール口とは逆側に配置され、前記払い出し口に前記賞球を案内する賞球通路と、
前記ファール口に入ったファール球を前記発射通路の背後を通して前記払い出し口の奥で前記賞球通路に合流させ、前記払い出し口を通して前記ファール球を前記受け皿に返却する返却通路とを備えたことを特徴とする弾球遊技機。
【請求項２】
前記発射通路と、前記ファール口に入ったファール球を前記返却通路に案内する受け部と、前記発射通路を基準として前記払い出し口側に配置され、隣接して形成された前記賞球通路の出口及び前記返却通路の出口とが一体に形成された遊技球排出部材を備えたことを特徴とする請求項１記載の弾球遊技機。
【発明の詳細な説明】
【技術分野】
【０００１】
本発明は、遊技者が遊技盤上に設けられた遊技領域に遊技球を打ち出すことによって遊技が行われる弾球遊技機に関するものである。
【背景技術】
【０００２】
弾球遊技機にはピンボール，スマートボールなど種々のものがあるが、一般にパチンコ機が広く知られている。パチンコ機には、遊技の興趣を高めるために遊技盤上の遊技領域には入賞口やこの入賞口にパチンコ球が入賞すると始動する種々の入賞装置（ヤクモノ）が設けられており、更に、この遊技領域に遊技球（パチンコ球）を打ち出すための遊技球発射装置、遊技球発射装置を作動させる操作ハンドル、遊技球発射装置によって打ち出されたパチンコ球を遊技領域に導くために遊技盤上に設けられたガイドレールで形成される遊技球通路などが設けられている。遊技者は操作ハンドルを操作してパチンコ球を一発ずつ遊技領域に向けて発射させ、入賞口にパチンコ球を入賞させることで得られる賞球を景品に交換することを目当てに遊技を楽しむ。
【０００３】
通常、パチンコ機の本体は遊技盤の設けられている本体上部と遊技球発射装置の設けられている本体下部の二つの部分から構成されていて、本体上部と本体下部とは仕切り板によって分離されている。遊技球発射装置は本体下部の左右いずれかの側に設けられていて、本体上部に設けられた遊技盤上には、遊技球発射装置の配置されている位置の上方の上下方向にガイドレールによって形成される遊技球通路が設けられている。遊技球発射装置の上方の本体下部には遊技球発射装置から発射されるパチンコ球を遊技球通路に導くための発射球通路が設けられおり、発射球通路の上方の本体上部と本体下部との境界に設けられた仕切り板には開口（以下、発射球口と呼ぶ）が設けられている。操作ハンドルを操作して遊技球発射装置によって発射されたパチンコ球は、発射球通路から発射球口を通って遊技球通路に打ち出され、ガイドレールに導かれて遊技球通路を通って遊技領域へ到達する。遊技領域には入賞口やこの入賞口にパチンコ球が入賞すると始動する各種の入賞装置及びパチンコ球が入賞口に入賞し難くするための障害釘などの障害物が設けられており、遊技領域に到達したパチンコ球は障害物に障害されながら遊技領域を流下して入賞口に入賞するか、もしくは入賞せずに遊技領域の最下段に設けられたアウト口からアウト球として回収される。
【０００４】
パチンコ球が入賞口に入賞すると、予め定められた数の賞球がパチンコ機本体の前面に設けられた受け皿に払い出され、貯留される。賞球はパチンコ機本体内部に設けられた賞球通路を通って受け皿のパチンコ機本体側の壁に設けられた開口（導入開口）から受け皿に払い出される。受け皿に貯留された賞球はそのまま遊技に供されるか、得られた賞球数に対応した景品との交換媒体として用いられる。
【０００５】
ところで、遊技球発射装置によって発射されたパチンコ球のうちいくつかは遊技領域に到達せずにガイドレールで形成される遊技球通路を逆戻りして、ファール球として処理される。ファール球は、発射球口の近傍に設けられたファール球受け口に入り、ファール球受け口の下方の本体下部に設けられたファール球受部に落下し、ファール球通路（返却通路）を通って導入開口から受け皿に返却され、再び遊技に供されるか、賞球と一緒にして景品との交換媒体として用いられる。（特許文献１）
【特許文献１】特開２００３−２０５０８５号公報
【発明の開示】
【発明が解決しようとする課題】
【０００６】
しかしながら、従来のこの種のパチンコ機では、返却通路が賞球通路の中間地点で合流する構造となっていて、合流地点以降はファール球及び賞球が同じ賞球通路を経由して一つの導入開口から受け皿に払い出される構造となっている。通常は、返却通路が賞球通路より狭い通路となっていて、ファール球が合流地点から賞球通路へ流れ込んで行くと、返却通路におけるファール球の溜めが少なくなり、その状態で賞球が払い出されると賞球が合流地点で返却通路側に回り込んで逆流するという欠点が見受けられた。賞球が返却通路に逆流すると、賞球が正しく払い出されたかがわからなくなるとともに返却通路を詰まらせたりして、遊技者の興趣を損なってしまうことになる。
【０００７】
本発明は、上記課題を解決するためになされたものであり、賞球通路と返却通路とを独立して設け、更に賞球通路から導入開口までの間に賞球を払い出す払い出し出口通路と返却通路から導入開口までの間にファール球を返却する返却出口通路とを独立して設けることによって、賞球が返却通路や返却出口通路に回り込んで逆流することの無い弾球遊技機を提供することを目的とする。
【課題を解決するための手段】
【０００８】
上記目的を達成するために、本発明の弾球遊技機は、入賞口やアウト口が配置された遊技領域を遊技盤の盤面上に有し、受け皿に貯留された遊技球を発射装置に導き、前記発射装置の作動により発射された遊技球が上方に延びる発射通路を通って遊技盤の盤面に形成された案内通路に進入し、前記案内通路を通過した遊技球が前記遊技領域に打ち出される弾球遊技機において、前記案内通路に打ち出された遊技球が前記遊技領域に到達せずに落下してきたときにこれをファール球として受け入れるファール口と、前記受け皿に形成されるとともに前記発射通路を基準として前記ファール口とは逆側に配置され、前記入賞口に遊技球が入賞したときに前記受け皿に賞球を払い出す前記払い出し口と、前記発射通路を基準として前記ファール口とは逆側に配置され、前記払い出し口に前記賞球を案内する賞球通路と、前記ファール口に入ったファール球を前記発射通路の背後を通して前記払い出し口の奥で前記賞球通路に合流させ、前記払い出し口を通して前記ファール球を前記受け皿に返却する返却通路とを備えたことを特徴とする。
【０００９】
なお、前記発射通路と、前記ファール口に入ったファール球を前記返却通路に案内する受け部と、前記発射通路を基準として前記払い出し口側に配置され、隣接して形成された前記賞球通路の出口及び前記返却通路の出口とが一体に形成された遊技球排出部材を備えることが好ましい。
【発明の効果】
【００１０】
本発明によれば、賞球が返却通路及び返却出口通路に回りこんで逆流することがなくなる特徴を有するから、遊技者がより楽しく遊技を行うことができる。
【００１１】
また、遊技球排出部材を備えることにより、パチンコ機の構成部材を少なくするとともに組み立て易く、また、遊技球排出部材が破損した場合の交換を行い易くすることができ、パチンコ機の製造者にとってコストダウンが図れる。
【発明を実施するための最良の形態】
【００１２】
以下、本発明の第１の実施形態を図面を参照して説明する。図１に弾球遊技機（パチンコ機）１０の外観を示す。パチンコ機１０の本体は本体枠１０ａとその前方を覆う上前扉１０ｂ及び下前扉１０ｃで構成される。上前扉１０ｂの後方の本体枠１０ａの内部には遊技盤１１が設けられており、遊技盤１１には遊技領域１２及び後述の遊技球発射装置（発射装置）１９（図３）によって発射されて発射球口１５から飛び出したパチンコ球を遊技領域１２に導くガイドレール１４ａ及び１４ｂによって形成される遊技球通路（案内通路）１４が設けられている。また、遊技領域１２には入賞口１２ａやこの入賞口１２ａにパチンコ球が入賞すると始動する各種の入賞装置１２ｃ及び図示しない障害釘などの障害物が設けられており、最下部には入賞口１２ａ及びそれ以外の入賞口にも入賞しなかったパチンコ球がアウト球として回収されるアウト口１２ｂが設けられている。なお、本実施例では遊技球発射装置１９及び遊技球通路１４を遊技盤１１の左側に位置するところに配置したが、この限りではない。
【００１３】
そして、発射球口１５の近隣には、発射球口１５から飛び出したパチンコ球のうち遊技領域１２に到達せず、遊技球通路１４を逆戻りして落下してくるパチンコ球を受け入れるファール球受け口（ファール口）１６が設けられている。発射球口１５はパチンコ球１個が通り抜けられる大きさの開口となっていて、ファール球受け口１６はパチンコ球が複数個通過できる大きさの開口となっている。そして、発射球口１５にはファール球が入らないように発射球口１５の一辺に板バネなどで係合された蓋（図示しない）が設けられていて、その蓋は遊技球発射装置１９から発射されたパチンコ球の勢いで上方に押し開けられるが、パチンコ球が通過後はバネの力で戻って発射球口１５を塞ぐように構成されている。従って、遊技球通路１４を逆戻りして落下してくるファール球が発射球口１５に入ることはない。
【００１４】
下前扉１０ｃの前方には、パチンコ球を貯留する受け皿１８が設けられており、受け皿１８の下前扉１０ｃ側の壁にはパチンコ球が入賞口１２ａに入賞したときに払い出される賞球及び遊技領域１２に到達せずに返却されるファール球を受け皿１８に導入する導入開口（払い出し口）１７が設けられている。そして、受け皿１８の右側下方に操作ハンドル１３が設けられていて、操作ハンドル１３を操作することによってパチンコ球を発射させる遊技球発射装置１９（図３）が作動される。下前扉１０ｃの後方の本体枠１０ａの内部には、遊技球発射装置１９のほかに図示しない電源部や各種の制御手段などが設けられている。
【００１５】
図３は、下前扉１０ｃを開放した状態の図２における円Ａで囲んだ部分を拡大して示している。図３において、遊技球発射装置１９はその一部が示されており、遊技球発射装置１９の上方には遊技球発射装置１９から発射されたパチンコ球を遊技盤上に導く発射球通路２０ａと、発射球ガイド２１とが設けられている。
【００１６】
図４は本発明の実施例の一つであるファールカバー２０を示している。図４に示すように、発射球通路（発射通路）２０ａの左側に隣接してファール球受部２０ｂが設けられており、発射球通路２０ａの右側には、ファール球の返却出口通路２２ａと賞球の払い出し出口通路２２ｂとが仕切り２２ｃを挟んで設けられており、プラスティックなどの硬度の高い樹脂で成型された一体構造のファールカバー２０を構成していて、パチンコ機本体１０に取り付け易くなっている。発射球通路２０ａの右側の壁の下部２０ｄにおける発射球通路２０の幅ｗ２は上部２０ｃにおける発射球通路２０の幅ｗ１よりやや広くなっていて上部２０ｃと下部２０ｄの間に形成される段差２０ｅを発射球ガイド２１の上部にあてがいながら取り付けるようになっていて、発射球ガイド２１の内面と発射球通路２０ａの壁の上部２０ｃの内面とが一つの面を成して、パチンコ球が引っかかることなく滑らかに通過するようになっている（詳細な取り付け方法については省略する）。また、発射球通路２０ａの後方でファール球受部２０ｂから返却出口通路２２ａに至る部分にはファール球受部２０ｂに落下したファール球が返却出口通路２２ａに導かれるように仕切り２０ｆが設けられている。そして、パチンコ機本体枠１０ａ内の本体基盤２４にはプラスティックなどの硬度の高い樹脂で凹部状に形成されたプラスティック枠２６（図５）が設けられていて、ファールカバー２０を取り付けるとプラスティック枠２６の仕切り２６ｂとファールカバー２０に設けられた仕切り２０ｆ及び仕切り２２ｃとでファール球の返却通路２６ａが形成される。仕切り２２ｃの返却出口通路２２ａ側の面２２ｄはファール球が返却出口通路２２ａに流入し易いように凹面の湾曲をしている。
【００１７】
返却出口通路２２ａの右側に仕切り２２ｃを挟んで隣接して賞球が払い出される払い出し出口通路２２ｂが設けられている。そして、ファールカバー２０を本体基盤２４に取り付けると、払い出し出口通路２２ｂと予め本体基盤２４に設けられている裏セット下アッセンブリ部２５における仕切り２５ｂとの間で賞球通路２５ａが形成される（図５）。従って、ファール球の返却出口通路２２ａと賞球の払い出し出口通路２２ｂとは分離されており、返却出口通路２２ａに連結されたファール球の返却通路２６ａと賞球の賞球通路２５ａとは分離されているから、賞球が返却通路２６ａ及び返却出口通路２２ａに回りこむことはない。
【００１８】
図５は本体基盤２４におけるファールカバー２０を取り付ける部分をパチンコ機１０の本体枠１０ａの上方から見た断面図を示している。図５（Ａ）はファールカバー２０を取り付ける前の状態で、図５（Ｂ）はファールカバー２０を取り付けた様子を示している。図５（Ａ）におけるスペース２７はファールカバー２０を取り付けた後、ファール球及び賞球を受け皿１８に導く導入開口１７（図１）を取り付けるためのスペースで、図５（Ｂ）では導入開口１７も設けられた状態を示している。そして、裏セット下アッセンブリ部２５の底面、つまり、賞球通路２５ａの底面は本体基盤２４の前面方向に向けてやや下り勾配になっており、賞球が払い出されると賞球は裏セット下アッセンブリ部２５の底面を本体基盤２４の前面方向に向けて流下してゆき、払い出し出口通路２２ｂに自然に流れ込むようになっている。払い出し出口通路２２ｂの底面も裏セット下アッセンブリ部２５の底面と連続して滑らかに賞球が受け皿１８へ払い出されるように受け皿１８に向けて下り勾配となっている。従って、払い出し出口通路２２ｂへ流れ込んだ賞球はそのまま導入開口１７を経由して受け皿１８へ払出される。
【００１９】
一方、プラスティック枠２６の底面、つまり返却通路２６ａの底面は、ファール球受部２０ｂの位置から返却出口通路２２ａの方向へ向けて下り勾配となっており、ファール球受部２０ｂに落下したファール球は返却通路２６ａを下って返却出口通路２２ａへ流れ込む。返却出口通路２２ａの底面も払い出し出口通路２２ｂの底面と同様に受け皿１８の方向に向けて下り勾配となっていて、返却出口通路２２ａへ流れ込んだファール球は導入開口１７を経由して受け皿１８へ返却される。
【００２０】
図５(Ｂ)に示すように、賞球通路２５ａと返却通路２６ａとは分離されており、かつ、払い出し出口通路２２ｂと返却出口通路２２ａとが分離されているから、賞球は賞球通路２５ａを通って払い出し出口通路２２ｂから導入開口１７を経由して受け皿１８に払いだされ、ファール球は返却通路２６ａを通って返却出口通路２２ａから導入開口１７を経由して受け皿１８に返却されるので、賞球が返却通路２６ａ及び返却出口通路２２ａに回り込むことは無い。
【００２１】
上記のように構成されたパチンコ機１０の動作を以下に説明する。遊技者は遊技を開始するに当り、遊技店から遊技を行うためのパチンコ球の貸し出しを受ける。貸し出されたパチンコ球は受け皿１８に貯留される。遊技者が操作ハンドル１３を操作すると、パチンコ球は受け皿１８と遊技球発射装置１９との間に設けられた通路（図示しない）を通って遊技球発射装置１９に導かれ、遊技球発射装置１９から１個ずつ発射されて、発射球ガイド２１に導かれて発射球通路２０ａを通って発射球口１５から遊技球通路１４へ打ち出される。
【００２２】
遊技球通路１４に打ち出されたパチンコ球はガイドレール１４ａ及び１４ｂによって導かれながら遊技球通路１４を通り抜けて遊技領域１２へ飛び出す。遊技領域１２には入賞口１２ａやこの入賞口１２ａにパチンコ球が入賞すると始動する各種の入賞装置１２ｃ及び図示しない障害釘などの障害物が設けられており、遊技領域１２に飛び出したパチンコ球は障害物に障害されながら遊技領域１２を流下して行き、入賞口１２ａや他の入賞口のいずれかに入賞するか、入賞せずに遊技領域１２の最下段に設けられたアウト口１２ｂからアウト球として回収される。パチンコ球が入賞口１２ａや他の入賞口のいずれかに入賞すると、予め定められた賞球が賞球通路２５ａを通って払い出し出口通路２２ｂに至り、導入開口１７から受け皿１８に払い出され、貯留される。
【００２３】
一方で、遊技球通路１４に打ち出されたパチンコ球のうちいくつかは、遊技領域１２に到達せずに遊技球通路１４を落下しつつ逆戻りするファール球となる。ファール球は発射球口１５の近傍に設けられたファール球受け口１６に入り、ファール球受け口１６の下方に設けられたファール球受部２０ｂに落下する。発射球口１５にはファール球が入らないように発射球口１５の一辺に板バネなどで係合された蓋（図示しない）が設けられていて、その蓋は遊技球発射装置１９から発射されたパチンコ球の勢いで上方に押し開けられるが、パチンコ球が通過後はバネの力で戻って発射球口１５を塞ぐように構成されている。従って、ファール球は発射球口１５に入ることなくファール球受け口１６から確実にファール球受部２０ｂに落下する。ファール球受部２０ｂに落下したファール球は返却通路２６ａを流下して返却出口通路２２ａに至り、導入開口１７から受け皿１８に返却される。
【００２４】
導入開口１７から払い出された賞球及び返却されたファール球は受け皿１８に貯留され、再び遊技に供されるか、遊技を中断して景品と交換するための交換媒体として用いられる。
【００２５】
図６は、本発明の他の実施例である遊技球排出部材３０を示している。遊技球排出部材３０は、発射球通路３０ａ、ファール球受部３０ｂ、返却出口通路３２ａ及び払い出し出口通路３２ｂをプラスティックなどの硬度の高い樹脂で一体成型して、パチンコ機本体に着脱可能とした部材であり、図７の（Ａ）はその平面図、（Ｂ）は正面図を示している。図６、図７に示すように、発射球通路３０ａの左側にファール球受部３０ｂを隣接して設け、発射球通路３０ａの右側に返却出口通路３２ａと払い出し出口通路３２ｂとが設けられている。返却出口通路３２ａと払い出し出口通路３２ｂとは仕切り３２ｃで分離されており、パチンコ機１０の本体基盤２４に組み込んだときに、本体基盤２４に予め設けられたプラスティック枠２６においてプラスティック枠の仕切り２６ｂと遊技球排出部材３０に設けられた仕切り３０ｆ及び仕切り３２ｃとでファール球受部３０ｂから返却出口通路３２ａに至る返却通路２６ａが形成され、裏セット下アッセンブリ部２５においてその仕切り２５ｂと払い出し出口通路３２ｂとの間で賞球通路２５ａが形成されるようになっている。
【００２６】
図８（Ａ）は、本体基盤２４に遊技球排出部材３０を組み込む前の様子、図８（Ｂ）は遊技球排出部材３０を組み込んだ様子を、パチンコ機１０の上方から見た断面図で示している。ファール球を返却出口通路３２ａへ導くように仕切り３２ｃの返却出口通路３２ａ側の面３２ｄが湾曲して形成されている。図８（Ｂ）にハッチングをして示すように、遊技球排出部材３０を本体基盤２４に組み込むと、プラスティック枠２６において返却通路２６ａが形成され、裏セット下アッセンブリ部２５において賞球通路２５ａが形成されるように遊技球排出部材３０が成型されている。遊技球排出部材３０が組み込まれた後のパチンコ機１０における動作は第一の実施例であるファールカバー２０を取り付けた場合と同じであるので説明を省く。返却通路２６ａと賞球通路２５ａとは分離されており、返却出口通路３２ａと払い出し出口通路３２ｂとが分離されているので賞球が返却通路２６ａ及び返却出口通路３２ａに回り込むことは無い。
【００２７】
遊技球排出部材３０を本体基盤２４に組み込むには、裏セット下アッセンブリ部２５及びプラスティック枠２６に設けられたガイド２４ｂにあわせてフック３３の爪３３ａが本体基盤２４の仕切り板２４ａの先端にひっかかって抜けなくなる位置まで押し込む。遊技球排出部材３０を本体基盤２４からはずすときは、フック３３の手前側の突起部３３ｂを矢印Ａの方向へ押して爪３３ａを仕切り板２４ａからはずして引き抜けばよい。
【００２８】
図９は、パチンコ機１０の上前扉１０ｂ及び下前扉１０ｃを開放して本体に遊技球排出部材３０を組み込もうとする様子、図１０はそれを組み込んだ様子を斜視図で示しており、それぞれの図における遊技球排出部材３０及び遊技球発射装置１９を中心にした円で囲んだ部分を拡大して示してある。図示するように、遊技球排出部材３０をパチンコ機１０に対して容易に着脱可能としたから、パチンコ機１０の構成部品の点数及び組み立て工数を削減できるとともに遊技球排出部材３０が破損しても交換が容易となり、短時間で交換が可能である。
【００２９】
上記のように、本発明の弾球遊技機では、賞球を受け皿に払い出すための賞球通路と払い出し出口通路とを、ファール球を受け皿に返却するための返却通路及び返却出口通路と分離して設けたので、賞球が返却通路及び返却出口通路に入って逆流することが無いから、遊技者が安心して遊技を楽しむことができる。
【００３０】
また、払い出し出口通路と返却出口通路とが隣接して形成された遊技球排出部材を構成することにより、部品点数を減らすことができ、また、遊技球排出部材が破損したときには容易に交換が可能となるので、組み立てや交換作業が楽になりパチンコ機の製造コスト削減となる。
【００３１】
なお、上記実施例では、遊技球発射装置の設けられている位置との関係でファール球受部を発射球通路の左側に隣接させ、返却出口通路と払い出し出口通路とをこの順に発射球通路の右側に隣接して設けたが、必ずしもこの限りではなく、また返却出口通路と払い出し出口通路とを隣接させなくてもよく、返却通路と返却出口通路とが賞球通路及び払い出し出口通路と物理的に分離されていればよい。
【００３２】
また、本発明の実施例をパチンコ機を例にして説明したが、遊技球を用いて遊技を行う他の種類の遊技機に適応させることも可能である。
【図面の簡単な説明】
【００３３】
【図１】本発明の弾球遊技機（パチンコ機）の外観を示す斜視図である。
【図２】パチンコ機の上前扉及び下前扉を開放した様子を示す斜視図である。
【図３】遊技球発射装置から発射球通路の近傍を示す斜視図である。
【図４】本発明の第一の実施例のファールカバーを示す斜視図である。
【図５】ファールカバーを取り付ける様子を示す断面図である。
【図６】本発明の第二の実施例の遊技球排出部材を示す斜視図である。
【図７】遊技球排出部材の平面図及び正面図である。
【図８】遊技球排出部材を本体基盤に取り付ける様子を示す断面図である。
【図９】遊技球排出部材を本体に取り付ける前の様子を示す斜視図である。
【図１０】遊技球排出部材を本体に取り付けた後の様子を示す斜視図である。
【符号の説明】
【００３４】
１０      パチンコ機（遊技機）
１１      遊技盤
１２      遊技領域
１２ａ    入賞口
１２ｂ    アウト口
１２ｃ    入賞装置
１３      操作ハンドル
１４      遊技球通路
１５      発射球口
１６      ファール球受け口
１７      導入開口
１８      受け皿
１９      遊技球発射装置
２０      ファールカバー
２０ａ    発射球通路
２０ｂ    ファール球受部
２２ａ    返却出口通路
２２ｂ    払い出し出口通路
２２ｃ    仕切り
２５ａ    賞球通路
２６ａ    返却通路
３０      遊技球排出部材
３０ａ    遊技球排出部材の発射球通路
３０ｂ    遊技球排出部材のファール球受部
３２ａ    遊技球排出部材の返却出口通路
３２ｂ    遊技球排出部材の払い出し出口通路
３２ｃ    遊技球排出部材の仕切り
３３      フック
【図１】
0004467490.tif 000002
【図２】
0004467490.tif 000003
【図３】
0004467490.tif 000004
【図４】
0004467490.tif 000005
【図５】
0004467490.tif 000006
【図６】
0004467490.tif 000007
【図７】
0004467490.tif 000008
【図８】
0004467490.tif 000009
【図９】
0004467490.tif 000010
【図１０】
0004467490.tif 000011